(57)【特許請求の範囲】
【請求項１】
床面上に固定された架台と、前輪と後輪を有し、便器及び充電池を載せた台車と、前記床面上に設けられたガイドレール及びガイドレールストッパーから構成され、前記架台に固定された汚水管と給水管を、それぞれ前記台車に設けられた汚水管と給水管に接続可能とした移動式自動水洗トイレであって、前記便器は、前記台車上で上下に動くものとし、前記充電池によりモーターを制御して回転させることにより前記台車の前記前輪を制御操作して前記台車を走行させ、前記台車の後輪及び前輪が、前記ガイドレールに案内されて、前記後輪が前記ガイドレールストッパーに突き当てられた位置を接続位置とし、前記接続位置において、前記架台に固定された汚水管と給水管が、前記台車に設けられた汚水管と給水管と接続され、また、接続解除されるものであって、前記架台に固定された汚水管と給水管の継ぎ手部と、前記台車に設けられた汚水管と給水管の継ぎ手部には、いずれも、接続面にパッキンの溝を設けたフランジが形成されており、前記架台に固定された汚水管と給水管の継ぎ手部のフランジには電磁石装置が備えられており、前記接続位置において、前記電磁石装置を制御することにより、前記架台に固定された汚水管と給水管の継ぎ手部のフランジと、前記台車に設けられた汚水管と給水管の継ぎ手部のフランジが、フランジの間に装着されたパッキンを挟んで接続され、また、接続解除されることを特徴とする、移動式自動水洗トイレ。
【請求項２】
前記台車は、さらに給水タンクと汚水タンクを備えて、前記便器を数回の使用ができるものとし、前記接続位置において、前記架台に固定された汚水管と給水管が、それぞれ前記台車に設けられた汚水管と給水管が接続された状態で、前記汚水タンク内が清掃されることを特徴とする、請求項１に記載の移動式自動水洗トイレ。
【発明の詳細な説明】
【技術分野】
【０００１】
本発明は、移動式自動水洗トイレに関するものであり、特に老人福祉施設及び身体障害者リハビリテーション病院施設病棟に数人が共同入院生活で水洗便器が使い易くする事に関するものである。
【０００２】
移動式自動水洗トイレは、高齢者や身体障害者は下肢筋力低下の衰えと共に入院生活に排泄・排尿に苦労している。移動式自動水洗トイレは移動して使用者の身近に近づき便器を使い易く、トイレまで行く動作を省く。使用者が気楽に使用できる事にかんするものである。
【背景技術】
【０００３】
給水管汚水管の接続に継ぎ手を使うが、どのように接続するか方法が詳細に示されていない。よって人の手が必要である(例えば、特許文献３を参照)。
【０００４】
従来の〔特許文献３〕移動式水洗トイレは台車に便器を載せ移動式水洗トイレを考えているが、技術的に接続部分は手動で使用者の負担と手間が掛かる。
【０００５】
移動簡易水洗トイレ〔特許文献２〕は配管接続の説明が明確でない、設備は多く備えているが、水洗トイレとして使用するには排泄物の配管継ぎ手と、配管接続部分説明が明確に示されていない、そのような事から人の手が必要である。
【０００６】
現在はポータブル便器とオムツが主に排泄・排尿を補っているが、使用者はオムツに頼り危険な動作を省き、自立した排泄・排尿が出来ない状態である。
【０００７】
自立した排泄・排尿は介護の手を省き体力的の衰えも防ぐ、ポータブル便器が身近にある事は体力の無い高齢者・障害者には悪臭は別にして大きな助けになっている。
【０００８】
便器が自在に動く移動式便器は、体の不自由な人の排泄・排尿を助ける為には、現在は使用者に負担がかかる(例えば、特許文献２を参照)。
【特許文献１】特開平９―２５６４４２
【特許文献２】特開平５−７９０８３
【特許文献３】特開平６−２９９５８８
【発明の開示】
【発明が解決しようとする課題】
【０００９】
固定した便器は体力の無い体の不自由な人に、トイレへの移動は非常に困難であるため、介護の手を借りるのが現状である、体の不自由からオムツに切り替え寝たきりの傾向が増え、自立心が失われ介護人の世話を受けるようになる、少しでも介護人の手を省き自立した排泄・排尿ができる事が必要であり、寝たきりのオムツを省く事にある。
【課題を解決するための手段】
【００１０】  本発明記載の請求項１に係る移動式自動水洗トイレは、床面上に固定された架台と、前輪と後輪を有し、便器及び充電池を載せた台車と、前記床面上に設けられたガイドレール及びガイドレールストッパーから構成され、前記架台に固定された汚水管と給水管を、それぞれ前記台車に設けられた汚水管と給水管に接続可能とした移動式自動水洗トイレであって、前記便器は、前記台車上で上下に動くものとし、前記充電池によりモーターを制御して回転させることにより前記台車の前記前輪を制御操作して前記台車を走行させ、前記台車の後輪及び前輪が、前記ガイドレールに案内されて、前記後輪が前記ガイドレールストッパーに突き当てられた位置を接続位置とし、前記接続位置において、前記架台に固定された汚水管と給水管が、前記台車に設けられた汚水管と給水管と接続され、また、接続解除されるものであって、前記架台に固定された汚水管と給水管の継ぎ手部と、前記台車に設けられた汚水管と給水管の継ぎ手部には、いずれも、接続面にパッキンの溝を設けたフランジが形成されており、前記架台に固定された汚水管と給水管の継ぎ手部のフランジには電磁石装置が備えられており、前記接続位置において、前記電磁石装置を制御することにより、前記架台に固定された汚水管と給水管の継ぎ手部のフランジと、前記台車に設けられた汚水管と給水管の継ぎ手部のフランジが、フランジの間に装着されたパッキンを挟んで接続され、また、接続解除されることを特徴とする、移動式自動水洗トイレ。【００１１】
本発明記載の請求項２に係る移動式自動水洗トイレは、請求項１において、前記台車は、さらに給水タンクと汚水タンクを備えて、前記便器を数回の使用ができるものとし、前記接続位置において、前記架台に固定された汚水管と給水管が、それぞれ前記台車に設けられた汚水管と給水管が接続された状態で、前記汚水タンク内は清掃されることを特徴とし、前記接続は自動で済ませるため人手が係らない、移動式自動水洗トイレ。
【発明の効果】
【００１２】  以上詳しく説明した通り、請求項１記載の移動式自動水洗トイレによると、床面上に固定された架台と、前輪と後輪を有し、便器及び充電池を載せた台車と、前記床面上に設けられたガイドレール及びガイドレールストッパーから構成され、前記架台に固定された汚水管と給水管を、それぞれ前記台車に設けられた汚水管と給水管に接続可能とした移動式自動水洗トイレであって、前記便器は、前記台車上で上下に動くものとし、前記充電池によりモーターを制御して回転させることにより前記台車の前記前輪を制御操作して前記台車を走行させ、前記台車の後輪及び前輪が、前記ガイドレールに案内されて、前記後輪が前記ガイドレールストッパーに突き当てられた位置を接続位置とし、前記接続位置において、前記架台に固定された汚水管と給水管が、前記台車に設けられた汚水管と給水管と接続され、また、接続解除されるものであって、前記架台に固定された汚水管と給水管の継ぎ手部と、前記台車に設けられた汚水管と給水管の継ぎ手部には、いずれも、接続面にパッキンの溝を設けたフランジが形成されており、前記架台に固定された汚水管と給水管の継ぎ手部のフランジには電磁石装置が備えられており、前記接続位置において、前記電磁石装置を制御することにより、前記架台に固定された汚水管と給水管の継ぎ手部のフランジと、前記台車に設けられた汚水管と給水管の継ぎ手部のフランジが、フランジの間に装着されたパッキンを挟んで接続され、また、接続解除されることを特徴とする、前記台車に載せた便器が上下に動く事は、高齢者の下肢筋力低下の衰えを和らげ、便座に座りやすく体の負担を省く事が出来る。【００１３】
また、請求項２記載の移動式自動水洗トイレによると、前記台車は、さらに給水タンクと汚水タンクを備えて、前記便器を数回の使用ができるものとし、前記接続位置において、前記架台に固定された汚水管と給水管が、それぞれ前記台車に設けられた汚水管と給水管が接続された状態で、前記汚水タンク内が清掃されることを特徴とし、部屋に悪臭を無くし衛生的に使える。
【発明を実施するための最良の形態】
【００１４】
次に、本発明の実施例について図面を参照しながら説明する。
【実施例】
【００１５】
〔実施例１〕図１は本発明移動式自動水洗トイレの全体移動斜図である。
【００１６】
図１において、１は移動式自動水洗トイレである、後部に給水管１７と汚水管１８を架台１２に固定させて、台車２と接続する際に双方の電磁石フランジ１０と１９を取り付け、電磁石フランジ１０と１９は接続切り離れができる、よって接続時に車輪は１５を通して８で止まる、台車の上に載せたリフター３７に油圧シリンダー３８は便器１の上下動作を示している、給水タンク２９に水洗便器１の水を溜めて水洗便器１を円滑に出来るようにしている、汚水タンク２７は水洗便器１を使用した後の排泄物を溜めて、接続後処理される。手摺り５便座４便器蓋６と水圧ポンプ３０その他を載せた、移動式自動水洗トイレに必要な器具として図１に示している、台車図１に示すようにガイドレール７の入り口１６はYの字に入り易く車輪が入りガイドレールストパー８で止まる、止まると同時に汚水管１８と給水管１７双方は電磁石フランジ図９が自動接続する仕組みである。
【００１７】
図２において、床より汚水管１８給水管１７を架台１２に固定して、電磁石フランジ１０と１９に図示しているように、汚水管１８と給水管１７双方のフランジが接続切り離しをしている様子である。排泄物点検口２８は架台１２に汚水管１８と給水管１７は図２に示しているように固定している、
【００１８】
図３において、台車２が切り離れ単独で電動モーター４０を使い動作する。架台側と台車側双方のフランジ１０と１９の自動接続切り離れた際に、バルブ３３と自動開閉弁４２で密閉され漏れないようになっている。給水タンク２９汚水タンク２７双方のタンクを備え，移動式自動水洗トイレ図１はフラシュバルブ３１を使用後自動操作する、水洗機能を円滑にする為に水圧ポンプ３０を備え汚水タンクと汚水管の清掃を洗い流し円滑にする。架台１２から台車２が切り離れた際に双方フランジ１０と１９の手前に自動開閉弁装置４２で密閉され漏れる事は無い。
【００１９】
図４において、便器１下部にリフター３７を備え油圧シリンダー３８でリフターを上下動作できるように図示している、汚水タンク給水タンクは便器１が上下動作するためフレシキホース３２を使用している。便器先端にサポート２５を取り付け安定させてある。
【００２０】
図５において、架台１２へ台車２が接続する手前の様子を矢印で図示している、車輪はガイドレール１５を通りガイドレールスットパー８で止まる。又電動モーター４０はバッテリー５５を使い前輪１４には制御操作で駆動させて自動走行する。
【００２１】
図６において、架台１２と台車２の接続を図示している、双方のバルブ３３は接続と同時に自動開閉弁装置４２が開き、給水タンクに給水され、汚水タンク２７及び汚水管１８は排泄物の清掃を始める仕組みになっている。
【００２２】
図７において、架台１２から台車２が電磁石フランジ１０と１９を使用して、切り離れる様子を図示している、双方のフランジが切り離れる際に給水バルブ３４と汚水バルブ３３は、双方のフランジ手前にバルブが設けてあり自動開閉弁装置４２によって密閉されるようになっている。
【００２３】
図８において、汚水電磁石フランジ１０が切り離れる様子を拡大して説明する、汚水電磁石フランジ１０は切り離れる際に、汚水管１８の清掃は自動で済ませてある。悪臭も無く移動式自動水洗トイレは移動する事が出来る。
【００２４】
図９において、汚水電磁石フランジ１０は台車２と架台１２の接続している様子を拡大して説明する、フランジに突起したピン２０に相手フランジのピン穴２４に入り易く、先端を丸く削られている、フランジに突起したピン２０は相手フランジピン穴２４の穴に入る事で、双方のフランジにズレは無く接続される、接続する際にフランジ接続ガード２１に依ってフランジのズレを２重にガードしている、架台側フランジ１０と１９の溝にパッキン４３を装着してあり、フランジ双方のパッキンの溝で排泄物の漏れを防いでいる。
【００２５】
図１０は施設病棟の全体平面図にシステム化を考えた図である。移動式自動水洗トイレを老人福祉施設や障害者リハビリ病院施設で４〜５人部屋の構図である。各部屋寝台５３の側に備えた制御操作５１は集合制御装置４７で制御される。制御配線５０は各部屋からコントロールボックス４７へ配線されている。自動制御はバルブ操作走行操作及び制御に係る事は集合制御装置から指令をうける。台車２は収納場所４８からセンサー制御で台車が指令を受けて動く。各部屋寝台５３操作スイッチ５１から制御配線５０を通り制御装置４７から指令を受けて使用する。電磁石フランジ１０と１９は接続切り離し作業を省き自動で操作は可能である、架台１２から台車２は切り離れ使用者の側まで集合制御装置４７から制御操作で動く仕組みである。台車２に載せた便器１は体の不自由な人の寝台５３の側まで移動して、介護人の世話が無く自立した排泄・排尿が出来る事を特徴とする移動式自動水洗トイレである。
この発明の一実施形態を図１に示す。
「実施形態の効果」
【００２６】
老人福祉施設や障害者リハビリ病院施設では５〜６人部屋で入院生活をしていた体験から、移動式自動水洗トイレを考え、高齢者障害者がトイレまで行かずに便器が身近に近寄り使用可能となる事が目的で、介護便器として人の手を省き自立で便器を使用できる事は、介護人の人手不足と同時に介護費用も省け大きな経済効果が期待できる。
「他の実施形態」
【００２７】
図１の実施形態では、台車に便器を載せた移動式自動水洗トイレは、電磁石フランジ図９を使用して接続切り離しは自動で行う事を特徴としている、他の実施形態では継ぎ手の自動接続は無く人手が必要となる、現在使用しているポータブル便器と変わりなく人手が掛かり、以前の移動式水洗トイレは給水や排泄物の配管継ぎ手接続部分に人手が係り。使用目的の処理説明と部分説明が明確に示されていない。
【産業上の利用可能性】
【００２８】
高齢者が年々増加している傾向の中、介護人の人手不足も問題とされている、福祉機器用具の開発は進んで要るが、ユーザーが限定され市場ニーズにならない現状と、コスト面が高額で現状では普及するのが難しい面がある、排泄排尿機器用具は特に遅れている分野の一つと思われる。介護人の手が掛かる高齢者時代に限られたユーザーに限定される為、利用可能性は低く多く望む事は現状として難しいと思われるが、人手不足の時代に老人福祉施設及び身体障害者リハビリテーション病院施設に大きな期待が望まれる、介護人の人手不足に大きな成果が望まれると期待している介護便器である。
【図面の簡単な説明】
【００２９】
【図１】本発明移動式自動水洗トイレの全体移動斜図
【図２】架台に固定した、汚水管と給水管の電磁石フランジを示す図
【図３】台車だけの側面全体図
【図４】台車に取り付けたリフターで便器を上下動作図
【図５】台車が架台に近寄り電磁石フランジで接続手前の側面図
【図６】架台と台車が電磁石フランジで接続している側面図
【図７】台車と架台が切り離れた側面図
【図８】電磁石フランジの切り離れた側面図
【図９】電磁石フランジの接続側面図
【図１０】台車の配置と各部屋の配置図及び制御盤
【符号の説明】
【００３０】
１・水洗便器              
２・台車には器具が多く積まれている    
３・便器サポート        
４・便座                  
５・手摺り        
６・便座蓋      
７・車輪ガイドレール 
８・車輪ガイドレールストッパ
９・後輪        
１０・架台側汚水電磁石フランジ    
１１・台車側磁力の無い汚水フランジ
１２・架台      
１３・便器設置ボルト    
１４・前輪左右制御車輪        
１５・車輪ガイド進入口
１６・広角ガイドレール（車輪が入り易く）        
１７・給水管            
１８・汚水管
１９・架台側給水電磁石フランジ          
２０・電磁石フランジ接続ピン
２１・電磁石フランジ接続ガイド      
２２・汚物排泄出口      
２３・給水管受け入れ    
２４・電磁石フランジ差込ピン穴        
２５・Ｕバンドサポート      
２６・汚水管点検口        
２７・汚水タンク        
２８・汚水管点検口キャップ  
２９・給水タンク              
３０・水圧ポンプ        
３１・フラシュバルブは台車に具備している        
３２・フレシキブルホース          
３３・ボールバルブ      
３４・グローブバルブ        
３５・給水管出口          
３６・汚水管入口                  
３７・リフター              
３８・リフター内に油圧シリンダー内臓してある      
３９・逆支弁                      
４０・前輪を駆動する電動モーター  
４１・ボール底部溜め水  
４２・自動開閉弁装置                    
４３・架台側の溝に円形状のパッキンを装着してある  
４４・フランジパッキンの溝      
４５・パイプ接続
４６・架台と台車のフランジ双方の接点
４７・集合制御装置
４８・台車収納場所
４９・各部屋寝台台車定位置
５０・制御配線
５１・各寝台制御操作スイッチ
５２・台車格納ガイドレール
５３・寝台
５４・台車側磁力の無いフランジ
５５・充電池
【要約】
【課題】
体の不自由な高齢者やトイレに行く動作が難しい人は、便器が固定されたままのトイレは、体の動作に不安を感じている。
【解決手段】
固定した便器は体の不自由な人に負担が多く、移動式自動水洗トイレは電磁石フランジが磁力で自動接続切り離し作業をするので、切り離された便器は体の不自由な人の側に近づき使用できる。また自動制御操作を使い移動式自動水洗トイレが動く仕組みで、台車に載せた便器は単独で動く移動式自動水洗トイレである。又台車に載せたリフターは便器を上下に動作する。さらに電磁石フランジを使用する事で人の手を省きシステム自動化を可能にした。
【選択図】図１【図１】
0004257929.tif 000002
【図２】
0004257929.tif 000003
【図３】
0004257929.tif 000004
【図４】
0004257929.tif 000005
【図５】
0004257929.tif 000006
【図６】
0004257929.tif 000007
【図７】
0004257929.tif 000008
【図８】
0004257929.tif 000009
【図９】
0004257929.tif 000010
【図１０】
0004257929.tif 000011